(57)【要約】【課題】  複数のデータ線をブロック化して、まとめて画像信号をサンプリングする相展開駆動をする場合の表示ムラを低減する。【解決手段】  ブロックの一端に位置するデータ線に供給すべき映像データＶｉｄ６の変化分を求めて、当該変化分に応じた補正データＶ１を、ブロックの他端に位置するデータ線に供給すべき映像データＶｉｄ１に加算する。【選択図】        図２
2005196136.tif 000002
【特許請求の範囲】
【請求項１】
複数の走査線と、
一定本数毎にブロックに区分けされた複数のデータ線と、
前記ブロックが順次選択されたときに、選択されたブロックに属する前記一定本数のデータ線の各々にサンプリングされる画像信号をそれぞれ供給する前記一定本数の画像信号線と、
前記データ線と前記画像信号線との間に介挿されるとともに、前記データ線に、前記画像信号線から供給された前記画像信号をサンプリングするサンプリングスイッチと、
前記走査線と前記データ線との交差にそれぞれ対応して設けられるとともに、対応する前記データ線にから供給される前記画像信号が書き込まれる画素と
を有する電気光学パネルへの画像信号の補正方法であって、
前記ブロックの一方の端に位置するデータ線に供給される画像信号により表示される輝度の変化分を求め、
当該変化分から求められる補正信号を用いて、ブロックの他方の端に位置するデータ線に供給される画像信号に補正する
ことを特徴とする画像信号の補正方法。
【請求項２】
複数の走査線と、
一定本数毎にブロックに区分けされた複数のデータ線と、
前記ブロックが順次選択されたときに、選択されたブロックに属する前記一定本数のデータ線の各々にサンプリングされる画像信号をそれぞれ供給する前記一定本数の画像信号線と、
前記データ線と前記画像信号線との間に介挿されるとともに、前記データ線に、前記画像信号線から供給された前記画像信号をサンプリングするサンプリングスイッチと、
前記走査線と前記データ線との交差にそれぞれ対応して設けられるとともに、対応する前記データ線から供給される画像信号が書き込まれる画素と
を有する電気光学パネルに用いられる画像信号の補正回路であって、
前記ブロックの一方の端に位置するデータ線に供給される画像信号により表示される輝度の変化分を求める第１の算出器と、
当該変化分から求められた第１の補正信号を、ブロックの他方の端に位置するデータ線に供給される画像信号に加算する第１の加算器と
を有することを特徴とする画像信号の補正回路。
【請求項３】
前記ブロックの前記他方の端に位置するデータ線に供給される画像信号により表示される輝度の変化分を求める第２の算出器と、
当該変化分から求められた第２の補正信号を、前記ブロックの前記一方の端に位置するデータ線に供給される画像信号に加算する第２の加算器とを有することを特徴とする請求項２に記載の画像信号の補正回路。
【請求項４】
前記第１の算出器は、第１のブロックにおいて一方の端に位置するデータ線に供給される第１の画像信号と、前記第１のブロックの次に選択される第２のブロックにおいて一方の端に位置するデータ線に供給される第２の画像信号とが供給され、
前記第１の画像信号と前記第２の画像信号との輝度の差を算出し、
当該輝度の差を前記変化分として出力することを特徴とする請求項２に記載の画像信号の補正回路。
【請求項５】
前記第２の算出器は、第１のブロックにおいて他方の端に位置するデータ線に供給される第３の画像信号と、前記第２のブロックにおいて他方の端に位置するデータ線に供給される第４の画像信号とが供給され、
前記第３の画像信号と前記第４の画像信号との輝度の差を算出し、
当該輝度の差を前記変化分として出力することを特徴とする請求項３に記載の画像信号の補正回路。
【請求項６】
前記第１の画像信号を遅延させて前記第１の算出器に出力する第１の遅延器を有し、
前記第１の算出器は、前記第１の遅延器で遅延された前記第１の画像信号と前記第２の画像信号との輝度の差を算出することを特徴とする請求項４に記載の画像信号の補正回路。
【請求項７】
前記第３の画像信号を遅延させて前記第２の算出器に出力する第２の遅延器を有し、
前記第２の算出器は、前記第１の遅延器で遅延された前記第３の画像信号と前記第４の画像信号との輝度の差を算出することを特徴とする請求項５に記載の画像信号の補正回路。
【請求項８】
前記第１の遅延器は前記ブロックの選択に要する時間だけ前記第１の画像信号を遅延させることを特徴とする請求項６に記載の画像信号の補正回路。
【請求項９】
前記第２の遅延器は前記ブロックの選択に要する時間だけ前記第２の画像信号を遅延させることを特徴とする請求項７に記載の画像信号の補正回路。
【請求項１０】
前記第１の算出器によって算出された前記輝度の変化分に所定の係数を乗算することで前記第１の補正信号を生成する第１の乗算器と、
前記第２の算出器によって算出された前記輝度の変化分に所定の係数を乗算することで前記第２の補正信号を生成する第２の乗算器とを有することを特徴とする請求項３乃至９のいずれかに記載の画像信号の補正回路。
【請求項１１】
前記第１の加算器は、前記第１の補正信号と、前記第２のブロックにおいて前記他方の端に位置するデータ線に供給される画像信号との加算を行うことを特徴とする請求項４乃至１０のいずれかに記載の画像信号の補正回路。
【請求項１２】
前記第２の加算器は、前記第２の補正信号と、前記第２のブロックにおいて前記一方の端に位置するデータ線に供給される画像信号との加算を行うことを特徴とする請求項４乃至１１のいずれかに記載の画像信号の補正回路。
【請求項１３】
前記第１の算出器は、前記ブロックの一方の端に位置するデータ線に供給される画像信号と、基準信号とが供給され、当該画像信号と当該基準信号との輝度の差を算出して、当該輝度の差を前記変化分として出力し、
前記第２の算出器は、前記ブロックの他方の端に位置するデータ線に供給される画像信号と、基準信号とが供給され、当該画像信号と当該基準信号との輝度の差を算出して、当該輝度の差を前記変化分として出力することを特徴とする請求項３に記載の画像信号の補正回路。
【請求項１４】
複数の走査線と、
一定本数毎にブロックに区分けされた複数のデータ線と、
前記ブロックが順次選択されたときに、選択された前記ブロックに属する前記一定本数のデータ線の各々にサンプリングされる画像信号をそれぞれ供給する前記一定本数の画像信号線と、
前記データ線と前記画像信号線との間に介挿されるとともに、前記データ線に、前記画像信号線から供給された画像信号をサンプリングするサンプリングスイッチと、
前記走査線と前記データ線との交差にそれぞれ対応して設けられるとともに、対応する前記データ線から供給される前記画像信号が書き込まれる画素とを有する電気光学パネルと、
ブロックの一方の端に位置するデータ線に供給される画像信号で表示される輝度の
変化分を求め、
当該変化分から求めた補正信号を用いて、ブロックの他方の端に位置するデータ線に供給される画像信号を補正する補正回路と
を有することを特徴とする電気光学装置。
【請求項１５】
請求項１４に記載の電気光学装置を有することを特徴とする電子機器。
【発明の詳細な説明】
【技術分野】
【０００１】
本発明は、複数本のデータ線をまとめて駆動する場合に現れる表示品位の低下を抑える技術に関する。
【背景技術】
【０００２】
電気光学物質の電気光学変化を用いて表示を行う表示パネル、例えば、液晶を用いた液晶パネルについては、駆動方式によりいくつかに分類することができるが、画素電極を三端子型のスイッチング素子により駆動するアクティブマトリクス型にあっては、おおよそ次のような構成となっている。すなわち、この種の液晶パネルは、液晶が一対の基板間に挟持されるとともに、一方の基板には、図７に示されるように、複数の走査線１１２と複数のデータ線１１４とが互いに交差するように設けられる。さらに、走査線１１２とデータ線１１４との交差部分の各々に対応して薄膜トランジスタ（Thin Film Transistor：以下「ＴＦＴ」と称する）１１６および画素電極１１８の対が設けられ、他方の基板には画素電極１１８に対向するように、かつ、一定の電圧ＬＣcomに維持される透明な対向電極（共通電極）１０８が設けられ、両電極間に例えばＴＮ型の液晶１０５が挟持されている。このため、画素毎に、画素電極１１８、対向電極１０８および液晶１０５からなる液晶容量が構成されることになる。
また、両基板の各対向面には、液晶分子の長軸方向が両基板間で例えば約９０度連続的に捻れるようにラビング処理された配向膜（図示省略）がそれぞれ設けられる一方、両基板の各背面側には配向方向に応じた偏光子がそれぞれ設けられる。
【０００３】
なお、液晶容量における電荷のリークを防止するために、蓄積容量１１９が画素毎に形成されている。この蓄積容量１１９の一端は、画素電極１１８（ＴＦＴ１１６のドレイン）に接続される一方、その他端は、すべての画素にわたって電位Ｇｎｄに共通接地されている。蓄積容量１１９の他端は、本実施形態では、電位Ｇｎｄに接地されているが、一定の電位（例えば電圧ＬＣcomや、駆動回路の高位側電源電圧、低位側電源電圧など）であれば良い。
説明の便宜上、走査線１１２の総本数を「ｍ」とし、データ線１１４の総本数を「６ｎ」とすると（ｍ、ｎは、それぞれ整数とする）、画素は、走査線１１２とデータ線１１４との各交差部分に対応して、ｍ行×６ｎ列のマトリクス状に配列することになる。
【０００４】
画素電極１１８と対向電極１０８との間を通過する光は、液晶容量の電圧実効値がゼロであれば、液晶分子の捻れに沿って約９０度旋光する一方、当該電圧実効値が大きくなるにつれて、液晶分子が電界方向に傾く結果、その旋光性が消失する。このため、例えば透過型において、入射側と背面側とに、配向方向に合わせて偏光軸が互いに直交する偏光子をそれぞれ配置させたノーマリーホワイトモードの場合、液晶容量の電圧実効値がゼロであれば、光が透過するので白（透過率が大になる）表示になる一方、電圧実効値が大きくなるにつれて透過する光量が減少して、ついには黒表示になる（透過率が最小になる）。したがって、走査線１１２を１本ずつ選択して、ＴＦＴ１１６をオンしたときに、画素の階調（または輝度）に応じた電圧の画像信号を、データ線１１４を介し画素電極１１８に印加して、液晶容量の電圧実効値を画素毎に制御することができる。そして、この制御によって、所定の表示が可能となる。
【０００５】
ところで、液晶パネルの用途には、プロジェクタなどのライトバルブが挙げられるが、このプロジェクタは、それ自体で画像を作成する機能はなく、パソコンやテレビチューナなどの上位装置から映像信号の供給を受ける。この映像信号は、マトリクス状に配列する画素を水平走査および垂直走査した形式で供給されるので、プロジェクタに用いられる液晶パネルについても、この形式に準じて駆動するのが適切である。このため、プロジェクタに用いられる液晶パネルについては、データ線１１４に画像信号を供給する駆動方式として点順次駆動が採用される。この点順次駆動では、映像信号を液晶駆動に適するように変換した画像信号を、１本の走査線１１２が選択される期間（１水平有効走査期間）において１本ずつデータ線１１４にサンプリングして供給する方式である。
【０００６】
また、近年では、ハイビジョンのような高精細化の要求が強い。高精細化は、走査線１１２の本数およびデータ線１１４の本数を増加させることによって達成することができるが、走査線１１２の増加によって１水平走査期間が短縮し、さらに、点順次方式では、データ線１１４の増加によって、データ線１１４へのサンプリング時間が短縮する。このため、高精細化する場合に、点順次方式では、データ線１１４に画像信号をサンプリングする際の時間を充分に確保できなくなるために、図８に示されるような相展開駆動という方式が採用されつつある。この相展開駆動では、表示領域１００ａ内の構成については、図７に示した構成と変更はないが、データ線１１４が予め定められた本数（例えば６本）毎にブロック化される一方、画像信号が１ブロックに含まれるデータ線１１４の本数に相当する６系統のチャネル（相）に分配されるとともに、さらに時間軸に６倍に伸長されて、画像信号Ｖｉｄ１〜Ｖｉｄ６として画像信号線１７１に供給される。
一方、図８において左から数えてｉ（ｉは、１、２、…、ｎ）列目のブロックに属するデータ線１１４の６本のうち、最も左に位置するデータ線１１４の一端には、サンプリングスイッチとしてのＮチャネル型ＴＦＴ１５１のドレインが接続される一方、そのソースは画像信号Ｖｉｄ１が供給される画像信号線１７１に接続されている。同様に、当該ブロックにおいて左から数えて２列目、３列目、…、６列目のデータ線１１４の一端には、対応するＴＦＴ１５１のドレインがそれぞれ接続される一方、そのソースは、画像信号Ｖｉｄ２、Ｖｉｄ３、…、Ｖｉｄ６が供給される画像信号線１７１にそれぞれ接続されている。
なお、図８において、走査線駆動回路１３０は、クロック信号ＣＬＹやスタートパルスＤＹ等によって、順次排他的にＨレベルになる走査信号Ｇ１、Ｇ２、Ｇ３、…、Ｇｍを１垂直有効走査期間内に出力するものである。また、シフトレジスタ１４０は、クロック信号ＣＬＸやスタートパルスＤＸ等によって、順次排他的にＨレベルになるサンプリング信号Ｓ１、Ｓ２、Ｓ３、…、Ｓｎを１水平有効走査期間内に出力するものである。
【０００７】
この相展開駆動では、１水平有効走査期間に、サンプリング信号Ｓ１、Ｓ２、Ｓ３、…、Ｓｎによって各ブロックが１つずつ選択される。ここで、例えばｉ列目のブロックが選択されると、すなわち、サンプリング信号ＳｉがＨレベルになると、当該ブロックに属するデータ線１１４にドレインが接続された６個のＴＦＴ１５１が同時にオンするので、当該ブロックに属する１列目、２列目、３列目、…、６列目のデータ線１１４の各々には、それぞれ画像信号Ｖｉｄ１、Ｖｉｄ２、Ｖｉｄ３、…、Ｖｉｄ６がサンプリングされることになる。
この相展開駆動では、データ線１１４を１本ずつ選択して画像信号をサンプリングする構成と比較すると、サンプリングするための時間を６倍長くすることができるので、上述したように、高精細化に適用している。なお、ここでは、１つのブロックに含まれるデータ線の数を「６」としたが、特にこれに制限する趣旨ではない。
【０００８】
ところが、この相展開駆動では、複数本のデータ線１１４をブロックとしてまとめて駆動することに起因して、画素の輝度がブロック毎に異なるという、いわゆるブロックムラが発生する。そこで、本発明者は、各チャネルの画像信号と基準信号との差から補正信号を作成して、この補正信号を各チャネルに加算してブロックムラを目立たなくする技術を提案している（特許文献１、２参照）。
【特許文献１】特開２００３−０９９０１６号公報
【特許文献２】特開２００３−０９１２７０号公報
【発明の開示】
【発明が解決しようとする課題】
【０００９】
しかしながら、上記公報に記載された技術によって、ブロックムラがある程度抑えられると、今度は、別タイプの縦スジ状のムラが目立つようになった。このムラは、例えば図９（ａ）に示されるように、（ｉ−１）列目に位置するブロックの画素Ａ〜Ｆのすべてを、最低階調の黒色と最高階調の白色との中間階調である灰色とし、次のｉ列目のブロックのうち、水平走査方向とはの反対側の端部に位置する画素Ａを、他の画素Ｂ〜Ｆとは異なる輝度（例えば黒色）で表示させようとする場合に、実際には、図９（ｂ）に示されるように、ｉ列目のブロックにおいて画素Ａとは反対側に位置する画素Ｆが、同一となるべき画素Ｂ〜Ｅとは異なる輝度となってしまう、という現象である。
本発明は、上述した事情に鑑みてなされたもので、その目的とするところは、このタイプの表示ムラの発生を抑えて、より高品位な表示が可能な画像信号の補正方法、補正回路、電気光学装置、および、この電気光学装置を表示部に適用した電子機器を提供することにある。
【課題を解決するための手段】
【００１０】
まず、上記表示ムラの原因について検討する。図１０は、画像信号線１７１、ＴＦＴ１５１およびデータ線１１４の周辺の回路構成を示す平面図であり、図１１は、その等価回路を示す図である。図１０に示されるように、あるＴＦＴ１５１のドレイン、すなわちデータ線１１４は、図において右方向に隣接するＴＦＴ１５１のソースに近接する。このため、図１１に示されるように、両者は、破線で示されるような寄生容量によって互いに結合する。
このため、あるデータ線１１４は、原則的に、当該データ線に供給される画像信号のチャネルよりも「１」だけ大きい画像信号が供給される画像信号線１７１と容量結合することになる。例えば、ブロック内において左から数えて３列目に位置するデータ線１１４は、画像信号Ｖｉｄ４が供給される画像信号線１７１と容量Ｃ３を介して結合する。ただし、例外的に、各ブロックにおいて最右端に位置する６列目のデータ線１１４は、最小チャネルである画像信号Ｖｉｄ１が供給される画像信号線１７１と容量Ｃ６を介して結合することになる。
【００１１】
ここで、図９（ａ）に示されるような画像を表示しようとする場合について検討してみる。なお、液晶は、交流駆動が原則であるので、１つの画素についてみれば、一定周期毎に書込極性を反転させる必要がある。極性反転の態様については、（１）走査線毎、（２）データ信号線毎、（３）画素毎、が挙げられるが、ここでは便宜上、（１）走査線毎の極性反転とする場合であって、極性反転の周期を１垂直走査期間とした場合とする。また、極性反転とは、所定の一定電圧Ｖc（画像信号の振幅中心電位であり、対向電極の印加される電圧ＬＣcomとほぼ等しい）を基準として交互に電圧レベルを反転させることをいう。そして、電圧Ｖcよりも高位電圧を画素電極に印加する書込を正極性書込といい、電圧Ｖcよりも低位電圧を画素電極に印加する書込を負極性書込という。
【００１２】
当該１水平有効走査期間では、上述したように順次排他的にサンプリング信号Ｓ１、Ｓ２、Ｓ３、…、ＳｎがＨレベルになる。図１２では、このうち、サンプリング信号Ｓ（ｉ−１）、Ｓｉで代表している。
選択走査線と（ｉ−１）列目のブロックに属するデータ線１１４との交差に位置する６個の画素については、上記仮定の通り、同一中間階調の灰色である。このため、（ｉ−１）列目のブロックが選択されるとき、画像信号Ｖｉｄ１〜Ｖｉｄ６は、いずれも当該灰色に相当する電圧で同一である。
次に、選択走査線とｉ列目のブロックに属するデータ線１１４との交差に位置する６個の画素のうち、画素Ｂ〜Ｆは同一中間階調の灰色であって、左端の画素Ａだけが黒色である。このため、ｉ列目のブロックが選択されるとき、画像信号Ｖｉｄ２〜Ｖｉｄ６は、いずれも当該灰色に相当する電圧であって、（ｉ−１）列目のブロック選択時と比較して変化しないが、画像信号Ｖｉｄ１は、黒色に相当する電圧となり、（ｉ−１）列目のブロックが選択されたときから変化する。
詳細には、当該１水平有効走査期間において正極性書込が実行されるのであれば、図１２において実線で示されるように、画像信号Ｖｉｄ１は、（ｉ−１）列目のブロックの選択時からｉ列目のブロックの選択時にかけて上昇する。なお、当該１水平有効走査期間において負極性書込が実行されるのであれば、図１２において破線で示されるように、下降する。
【００１３】
このとき、ｉ列目のブロックにおいて左から数えて２〜５列目に位置するデータ線１１４に寄生する容量Ｃ２〜Ｃ５の他端は、画像信号Ｖｉｄ３〜Ｖｉｄ６、すなわち、（ｉ−１）列目のブロックの選択時から変化しない灰色相当電圧である。これに対し、ｉ列目のブロックにおいて最右端に位置するデータ線１１４に寄生する容量Ｃ６の他端は、画像信号Ｖｉｄ１、すなわち、（ｉ−１）列目のブロックの選択時から変化した黒色相当電圧である。
【００１４】
このため、ｉ列目のブロックの最右端に位置するデータ線１１４には、２〜５列目に位置するデータ線１１４と比較すると、容量Ｃ６の他端における電圧が容量Ｃ２〜Ｃ５の他端における電圧よりも変化した状態で、灰色相当電圧がサンプリングされる。すなわち、ｉ列目のブロックにおいて２〜５列目に位置するデータ線１１４には、いずれも灰色相当電圧がサンプリングされるが、その電圧基準は、ｉ列目のブロックにおいて６列目に位置するデータ線１１４だけが他と比較して持ち上がった状態（正極性書込の場合）となる。
したがって、ｉ列目のブロックにおいて最右端に位置する６列目のデータ線１１４を介して画素に印加される電圧実効値は、２〜５列目に位置するデータ線１１４を介して画素に印加される電圧実効値よりも小さくなる。このため、ｉ列目のブロックにおいて最右端に位置する画素Ｆは、２〜５列目の画素Ｂ〜Ｅと比較して、ノーマリーホワイトモードにあっては、若干明るくなってしまう、と考えられる。このことは、電圧Ｖcを基準にした対称性を考えると、正極性書込においても負極性書込においても同様である。
【００１５】
なお、ここでは、ブロックにおける最左端の１列目の画素Ａを黒色に変化させる場合を例にとって説明したが、最右端の６列目の画素Ｆを黒色に変化させる場合にも、同様な現象が発生する。この点に詳述すると、容量Ｃ６は、ブロックにおいて最右端の６列目に位置するデータ線１１４と、画像信号Ｖｉｄ１が供給される画像信号線１７１との間で結合するので、ｉ列目のブロックが選択されたときの、当該データ線１１４における電圧変化は、同様な理由から、同一ブロックの１列目に位置するデータ線１１４を介して画素に印加される電圧実効値を変化させる。このため、図９（ｄ）に示されるように、ｉ列目のブロックにおける１列目の画素Ａは、２〜５列目の画素Ｂ〜Ｅと比較して若干明るくなってしまう。
また、容量Ｃ１は、ブロックにおいて最左端の１列目に位置するデータ線１１４と、画像信号Ｖｉｄ２が供給される画像信号線１７１との間で結合するので、ｉ列目のブロックが選択されたときの、当該データ線１１４の電圧変化は、同様な理由から、同一ブロックの２列目に位置するデータ線１１４を介して画素に印加される電圧実効値を変化させる。このため、図９（ｃ）に示されるように、同一ブロックにおける２列目の画素Ｂは、３〜５列目の画素と比較して若干明るくなってしまうはずである。しかしながら、２列目の画素Ｂに隣接する画素Ａ、すなわち、ｉ列目のブロックにおいて最左端の１列目に位置する画素Ａは黒色であり、他とは際だって異なる明るさ（輝度）となっているために、２列目の画素Ｂが３〜５列目の画素Ｃ〜Ｅと比較して若干明るくなったところで、６列目の画素Ｆほど目立つことはないので、本発明では、これを無視することにする。
【００１６】
このように、１水平有効走査期間において途中まで画素の輝度が変化しない場合、または、その変化が少ない場合に、あるブロックにおいて一端側に位置する画素の輝度が変化したとき、当該変化に応じて、当該ブロックにおいて反対側に位置する画素の輝度も変化してしまう。
そこで、本発明に係る画像信号の補正方法は、複数の走査線と、一定本数毎にブロックに区分けされた複数のデータ線と、前記ブロックが順次選択されたときに、選択されたブロックに属する前記一定本数のデータ線の各々にサンプリングされる画像信号をそれぞれ供給する前記一定本数の画像信号線と、前記データ線と前記画像信号線との間に介挿されるとともに、前記データ線に、前記画像信号線から供給された前記画像信号をサンプリングするサンプリングスイッチと、前記走査線と前記データ線との交差にそれぞれ対応して設けられるとともに、対応する前記データ線にから供給される前記画像信号が書き込まれる画素とを有する電気光学パネルへの画像信号の補正方法であって、前記ブロックの一方の端に位置するデータ線に供給される画像信号により表示される輝度の変化分を求め、当該変化分から求められる補正信号を用いて、ブロックの他方の端に位置するデータ線に供給される画像信号に補正することを特徴とする。
すなわち、上述した表示ムラが発生しないように画像信号が予め補正されて、電気光学パネルに供給される。
【００１７】
また、本発明において、画像信号の補正方法のみならず、補正回路としても、さらに、電気光学装置それ自体としてもそれぞれ概念することができる。加えて、本発明に係る電子機器は、上記電気光学装置を表示部として有する。
【発明を実施するための最良の形態】
【００１８】
以下、本発明の実施形態について図面を参照して説明する。
【００１９】
＜第１実施形態＞
図１は、本発明の第１実施形態に係る補正回路を適用した電気光学装置の全体構成を示すブロック図である。
この図に示されるように、電気光学装置は、液晶パネル１００と、制御回路２００と、処理回路３００とから構成される。このうち、制御回路２００は、図示しない上位装置から供給される垂直走査信号Ｖｓ、水平走査信号Ｈｓおよびドットクロック信号ＤＣＬＫにしたがって、各部を制御するためのタイミング信号やクロック信号などを生成する。処理回路３００は、さらに、Ｓ／Ｐ変換回路３０２、補正回路３０４、Ｄ／Ａ変換器３０６、および増幅・反転回路３０８から構成される。
Ｓ／Ｐ変換回路３０４は、図示されない上位装置から、垂直走査信号Ｖｓ、水平走査信号Ｈｓおよびドットクロック信号ＤＣＬＫに同期して、すなわち、垂直走査および水平走査に同期してシリアルで供給されるディジタルの映像データＶｉｄを、Ｎ（図においてはＮ＝６）系統に分配するとともに、時間軸にＮ倍に伸長（シリアル−パラレル変換）し、映像データＶｄ１〜Ｖｄ６として出力するものである。補正回路３０２は、映像データＶｄ１〜Ｖｄ６を補正して、それぞれ補正された映像データＶｄ１ａ〜Ｖｄ６ａとして出力するものである。なお、この補正回路３０２の詳細については後述する。
Ｄ／Ａ変換器３０６は、補正された映像データＶｉｄ１ａ〜Ｖｉｄ６ａをそれぞれアナログの画像信号に変換するものである。増幅・反転回路３０８は、アナログ変換された画像信号のうち、極性反転が必要となるものを反転させ、この後、適宜、増幅して画像信号Ｖｉｄ１〜Ｖｉｄ６として液晶パネル１００に供給するものである。極性反転については、上述したように、走査線単位の極性反転である場合とする。
【００２０】
図２は、補正回路３０４の詳細構成を示すブロック図である。この図に示されるように映像データＶｄ１〜Ｖｄ６のうち、映像データＶｄ２〜Ｖｄ５は、そのまま、補正された映像データＶｄ２ａ〜Ｖｄ５ａとして出力される。
一方、映像データＶｄ１は、遅延器３１２の入力端、減算器３１４の加算入力端、および、加算器３１８の加算入力端にそれぞれ供給される。また、映像データＶｄ６は、遅延器３２２の入力端、減算器３２４の加算入力端、および、加算器３２８の加算入力端にそれぞれ供給される。
【００２１】
遅延器３１２は、１ブロックの選択に要する時間だけ遅延させるものであり、例えば、（ｉ−１）列目のブロックの選択時に入力した映像データＶｄ１を、次のｉ列目のブロックの選択時に出力する。減算器３１４は、現段階の映像データＶｄ１から遅延器３１２の出力を減算する。このため、減算器３１４の減算結果は、（ｉ−１）列目のブロック選択時からｉ列目のブロック選択時にかけて、映像データＶｄ１で指定された画素の明るさ（輝度）の変化分を示すことになる。この減算結果は、乗算器３１６によって係数ｋ２が乗算された後、加算器３２８の加算入力端に補正データＶ６として供給される。そして、映像データＶｄ６には、補正データＶ６が加算器３２８によって加算されて、補正された映像データ
Ｖｄ６ａとして出力される。
したがって、補正された映像データＶｄ６ａは、元の映像データＶｄ６を、映像データＶｄ１における画素の輝度の変化分に応じて補正されるので、画素Ａの輝度変化が、画素Ｆの輝度を変化させてしまう現象（図９（ｂ）参照）の発生を抑えて、他の画素Ｃ〜Ｅと同じ輝度の灰色表示とすることができる。
【００２２】
同様に、遅延器３２２は、１ブロックの選択に要する時間だけ遅延させるものであり、例えば、（ｉ−１）列目のブロックの選択時に入力した映像データＶｄ６を、次のｉ列目のブロックの選択時に出力する。減算器３２４は、現段階の映像データＶｄ６から遅延器３２２の出力を減算する。このため、減算器３２４の減算結果は、（ｉ−１）列目のブロック選択時からｉ列目のブロック選択時にかけて、映像データＶｄ６で指定された画素の輝度の変化分を示すことになる。この減算結果は、乗算器３２６によって係数ｋ１が乗算された後、加算器３１８の加算入力端に補正データＶ１として供給される。そして、映像データＶｄ１には、補正データＶ１が加算器３１８によって加算されて、補正された映像データＶｄ１ａとして出力される。
したがって、補正された映像データＶｄ１ａは、元の映像データＶｄ１を、映像データＶｄ６における画素の輝度の変化分に応じて補正されるので、画素Ｆの輝度変化が、画素Ａの輝度を変化させてしまう現象（図９（ｄ）参照）の発生を抑えて、他の画素Ｃ〜Ｅと同じ輝度の灰色表示とすることができる。
【００２３】
＜第２実施形態＞
液晶パネル１００の用途として想定されるプロジェクタについては、後述するように、ＲＧＢの原色画像をダイクロイックプリズムによって合成する３板方式が採用される。このダイクロイックプリズムでは、例えばＲ、Ｂの原色画像が反射し、Ｂの原色画像が透過するので、Ｒ、Ｇの液晶パネル１００による画像は、Ｂの液晶パネル１００による画像に対して左右反転させる必要が生じる。また、プロジェクタは、天井から吊り下げて設置する場合に、机上に設置する場合と比較して投射画像を上下左右反転させる必要がある。
したがって、液晶パネル１００としては、水平走査方向を左から右に向かう正転方向と、右から左に向かう反転方向とを切替可能な構成とする必要がある。
【００２４】
液晶パネル１００によって左右反転画像を作成するためには、シフトレジスタ１４０がサンプリング信号をＳｎ→Ｓ１という順番で出力するだけでは足りず、画像信号線１７１におけるチャネルの対応関係も逆転させなければならない。このため、Ｓ／Ｐ変換回路３０２は、分配の順番を変更して、図３に示されるように、各ブロックにおいて、画像信号Ｖｉｄ１〜Ｖｉｄ６が左から右方向に向かって供給される状態から、右から左方向に向かって状態となるように、画像信号線１７１への対応関係を逆転させる。また、補正回路３０４については、映像データＶｄ１（Ｖｄ６）については、映像データＶｄ６（Ｖｄ１）における次のブロックの選択時から着目ブロックの選択時にかけての変化分に応じて補正すれば良いことが本発明者によって確認されている。
なお、次のブロックの選択時に供給される映像データとは、厳密に言えば時間的に未来であるので、次に説明する実施形態では、現段階で供給される映像データを次のブロックの選択時に供給される映像データとして使用するとともに、当該映像データを遅延させたものを着目ブロックの選択時に供給される映像データとして用いている。
【００２５】
本発明の第２実施形態として、水平走査方向を反転させる場合の補正回路３０４について図４を参照して説明する。なお、この図において、映像データＶｄ１〜Ｖｄ６の順序は、図２とは逆になっているが、その理由は、上述したように画像信号線１７１との関係にある。
図４に示されるように、映像データＶｄ１〜Ｖｄ６のうち、映像データＶｄ２〜Ｖｄ５は、遅延器３５２〜３５５を介し、それぞれ１ブロックの選択に要する時間だけ遅延されて、補正された映像データＶｄ２ａ〜Ｖｄ５ａとして出力される。なお、本実施形態において、映像データＶｉｄ１〜Ｖｉｄ６の各々は、それぞれ遅延器３５１〜３５６を介している理由は、遅延させた映像データを着目ブロックの選択時に供給されるものとして用いているためである。
【００２６】
一方、映像データＶｄ６は、遅延器３５６の入力端、および、減算器３４４の加算入力端にそれぞれ供給される。遅延器３５６に入力された映像データＶｄ６は、１ブロックの選択に要する時間だけ遅延されて、減算器３４４の減算入力端、および、加算器３４８の入力端にそれぞれ供給される。
同様に、映像データＶｄ１は、遅延器３５１の入力端、および、減算器３３４の加算入力端にそれぞれ供給される。遅延器３５１に入力された映像データＶｄ１は、１ブロックの選択に要する時間だけ遅延されて、減算器３３４の減算入力端、および、加算器３３８の入力端にそれぞれ供給される。減算器３３４は、現段階で供給される映像データＶｄ１から遅延器３５１の出力を減算する。このため、減算器３３４の減算結果は、ｉ列目のブロック選択時から（ｉ−１）列目のブロック選択時にかけて、映像データＶｄ１で指定された画素の輝度の変化分を示すことになる。この減算結果は、乗算器３３６によって係数ｋ３が乗算された後、加算器３４８の加算入力端に補正データＶ６として供給される。そして、この補正データＶ６が、遅延器３５６によって遅延された映像データＶｄ６に、加算器３４８によって加算されて、補正された映像データＶｄ６ａとして出力される。
【００２７】
同様に、減算器３４４は、現段階で供給される映像データＶｄ６から遅延器３５６の出力を減算する。このため、減算器３４４の減算結果は、ｉ列目のブロック選択時から（ｉ−１）列目のブロック選択時にかけて、映像データＶｄ６で指定された画素の輝度の変化分を示すことになる。この減算結果は、乗算器３４６によって係数ｋ４が乗算された後、加算器３３８の加算入力端に補正データＶ１として供給される。そして、この補正データＶ１が、遅延器３５１によって遅延された映像データＶｄ１に、加算器３３８によって加算されて、補正された映像データＶｄ１ａとして出力される。
この第２実施形態によれば、水平走査方向が反転した場合にも、第１実施形態のように水平走査方向が正転であるときと同様に、表示ムラを抑えることが可能となる。
【００２８】
＜応用例＞
なお、上述した第１および第２実施形態では、映像データで示される画素の輝度の変化分を遅延器および減算器を用いて求める構成としたが、例えば、図５に示されるように、映像データＶｉｄ６（Ｖｉｄ１）で示される輝度と、基準信号Ｒｅｆで示される明るさとの差を減算器３６４（３７４）によって求め、この差に係数ｋ６（ｋ５）を乗算器３６６（３７６）によって乗じ、これを補正データＶ１（Ｖ６）として、映像データＶｉｄ１（Ｖｉｄ６）に加算器３７８（３６８）によって加算する、という構成でも良い。
【００２９】
また、上述した実施形態では、画像信号線１７１、ＴＦＴ１５１およびデータ線１１４の周辺の回路レイアウトが、図１０に示される構成を前提として、詳細には、あるＴＦＴ１５１のドレイン（データ線１１４）が図において右方向に隣接するＴＦＴ１５１のソースに近接する構成を前提としたが、レイアウト的には、ソース・ドレインが、実施形態とは反対の位置関係となることも考えられる。すなわち、あるＴＦＴ１５１のドレイン（データ線１１４）が図において左方向に隣接するＴＦＴ１５１のソースに近接する構成も考えられる。ただし、いずれの構成においても、ブロックの一端側に位置する画素への画像信号の電圧変化が、当該変化に応じて、当該ブロックの他端側に位置する画素に書き込まれる電圧実効値を変動させてしまう点に替わりはない。したがって、ＴＦＴ１５１のソース・ドレインが、実施形態とは反対の位置関係であっても、当該実施形態が適用可能である。
【００３０】
上述した実施形態にあっては、１つにまとめられた６本のデータ線１１４に対して、６チャネルに変換された画像信号Ｖｉｄ１〜Ｖｉｄ６をサンプリングする構成したが、チャネル数および同時に印加するデータ線数（すなわち、１つにまとめるデータ線数）は、「６」に限られるものではなく、２以上であれば良い。例えば、チャネル数および同時に印加するデータ線の数を「３」や、「１２」、「２４」として、３本や、１２本、２４本のデータ線に対して、３、１２、２４チャネルに分配した補正画像信号を供給する構成としても良い。なお、チャネル数としては、カラーの画像信号が３つの原色に係る信号からなることとの関係から、３の倍数であることが制御や回路などを簡易化する上で好ましい。ただし、後述するプロジェクタのように単なる光変調の用途の場合には、３の倍数である必要はない。
【００３１】
一方、上述した実施形態において、処理回路３００は、ディジタルの映像信号Ｖｉｄを処理するものとしたが、アナログの画像信号を処理する構成としても良い。さらに、上述した実施形態にあっては、対向電極１０８と画素電極１１８との電圧実効値が小さい場合に白色表示を行うノーマリーホワイトモードとして説明したが、黒色表示を行うノーマリーブラックモードとしても良い。
【００３２】
さらに、上述した実施形態では、液晶としてＴＮ型を用いたが、ＢＴＮ（Bi-stable Twisted Nematic）型・強誘電型などのメモリ性を有する双安定型や、高分子分散型、さらには、分子の長軸方向と短軸方向とで可視光の吸収に異方性を有する染料（ゲスト）を一定の分子配列の液晶（ホスト）に溶解して、染料分子を液晶分子と平行に配列させたＧＨ（ゲストホスト）型などの液晶を用いても良い。
また、電圧無印加時には液晶分子が両基板に対して垂直方向に配列する一方、電圧印加時には液晶分子が両基板に対して水平方向に配列する、という垂直配向（ホメオトロピック配向）の構成としても良いし、電圧無印加時には液晶分子が両基板に対して水平方向に配列する一方、電圧印加時には液晶分子が両基板に対して垂直方向に配列する、という平行（水平）配向（ホモジニアス配向）の構成としても良い。このように、本発明では、液晶や配向方式として、種々のものに適用することが可能である。
以上については、液晶装置について説明したが、本発明では、一定本数のデータ線をブロック化するとともに、選択したブロックに属するデータ線の各々に、それぞれ対応する画像信号線に供給される画像信号をサンプリングする構成であれば、例えばＥＬ（Electronic Luminescence）素子、電子放出素子、電気詠動素子、デジタルミラー素子などを用いた装置や、プラズマディスプレイなどにも適用可能である。
【００３３】
＜電子機器＞
次に、上述した実施形態に係る電気光学装置を用いた電子機器の例として、上述した液晶パネル１００をライトバルブとして用いたプロジェクタについて説明する。
図６は、このプロジェクタの構成を示す平面図である。この図に示されるように、プロジェクタ２１００内部には、ハロゲンランプ等の白色光源からなるランプユニット２１０２が設けられている。このランプユニット２１０２から射出された投射光は、内部に配置された３枚のミラー２１０６および２枚のダイクロイックミラー２１０８によってＲ（赤）、Ｇ（緑）、Ｂ（青）の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【００３４】
ここで、ライトバルブ１００Ｒ、１００Ｇおよび１００Ｂの構成は、上述した実施形態における液晶パネル１００と同様であり、処理回路（図６では省略）から供給されるＲ、Ｇ、Ｂの各色に対応する画像信号でそれぞれ駆動されるものである。
ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、スクリーン２１２０には、投射レンズ２１１４によってカラー画像が投射されることとなる。
【００３５】
なお、ライトバルブ１００Ｒ、１００Ｇおよび１００Ｂには、ダイクロイックミラー２１０８によって、Ｒ、Ｇ、Ｂの各原色に対応する光が入射するので、上述したようにカラーフィルタを設ける必要はない。また、ライトバルブ１００Ｒ、１００Ｂの透過像は、ダイクロイックプリズム２１１２により反射した後に投射されるのに対し、ライトバルブ１００Ｇの透過像はそのまま投射されるので、ライトバルブ１００Ｒ、１００Ｂによる水平走査方向は、ライトバルブ１００Ｇによる水平走査方向と逆向きにして、左右を反転させた像を表示する構成となっている。
【００３６】
なお、電子機器としては、図６を参照して説明した他にも、携帯電話や、パーソナルコンピュータ、テレビジョン、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラ、タッチパネルを備えた機器等などが挙げられる。そして、これらの各種の電子機器に対して、本発明に係る表示パネルが適用可能なのは言うまでもない。
【図面の簡単な説明】
【００３７】
【図１】本発明の第１実施形態に係る電気光学装置の全体構成を示すブロック図である。
【図２】同電気光学装置における補正回路の構成を示すブロック図である。
【図３】同電気光学装置の水平走査方向等を示す図である。
【図４】本発明の第２実施形態に係る電気光学装置の補正回路の構成を示すブロック図である。
【図５】本発明の応用例に係る電気光学装置の補正回路の構成を示すブロック図である。
【図６】実施形態に係る電気光学装置を適用した電子機器の一例たるプロジェクタの構成を示す断面図である。
【図７】従来の液晶パネルの構成を示す図である。
【図８】相展開駆動の構成を示す図である。
【図９】相展開駆動による表示ムラを示す図である。
【図１０】相展開駆動の回路構成を示す平面図である。
【図１１】相展開駆動の回路構成を示す等価回路図である。
【図１２】相展開駆動の動作を示すタイミングチャートである。
【符号の説明】
【００３８】
１００…液晶パネル、１１２…走査線、１１４…データ線、１１６…ＴＦＴ、１１８…画素電極、１３０…走査線駆動回路、１４０…シフトレジスタ、１５１…サンプリングスイッチ、２００…制御回路、３００…処理回路、３０４…補正回路、２１００…プロジェクタ。
【図１】
2005196136.tif 000003
【図２】
2005196136.tif 000004
【図３】
2005196136.tif 000005
【図４】
2005196136.tif 000006
【図５】
2005196136.tif 000007
【図６】
2005196136.tif 000008
【図７】
2005196136.tif 000009
【図８】
2005196136.tif 000010
【図９】
2005196136.tif 000011
【図１０】
2005196136.tif 000012
【図１１】
2005196136.tif 000013
【図１２】
2005196136.tif 000014